(57)【特許請求の範囲】
【請求項１】
略四角形のシート（２）と、
前記シート（２）において対向する棟部（１２）と平行な二辺の端部にそれぞれ少なくとも一つの袋状の第１の重り収容部（３）を有し、
前記第１の重り収容部（３）の開口部（３０２）が、前記棟部（１２）に平行且つ棟部（１２）側の辺に設けられ、前記開口部（３０２）に風雨の侵入を防止するふた部（３０１）が備えられていることを特徴とする屋根棟専用養生シート（１）。
【請求項２】
前記第１の重り収容部（３）が、前記棟部（１２）と平行な二辺の端部に隙間なく配置されていることを特徴とする請求項１に記載の屋根棟専用養生シート（１）。
【請求項３】
前記棟部（１２）に直行する二辺の端部に第２の重り収容部（７）を有し、
前記第２の重り収容部（７）は、近接する第１の重り収容部（３）と同じ方向に開口部（３０２）を有することを特徴とする請求項１又は請求項２に記載の屋根棟専用養生シート（１）。
【請求項４】
前記第１の重り収容部（３）又は第２の重り収容部（７）の底面には、水抜き用の排水穴（３０３）が開いていることを特徴とする請求項３に記載の屋根棟専用養生シート（１）。
【請求項５】
前記シートが重なり合う重畳領域（４００）を有して連結可能とするジョイント機構（４０１）を設けたことを特徴とする請求項３又は請求項４に記載の屋根棟専用養生シート（１）。
【発明の詳細な説明】
【技術分野】
【０００１】
本発明は、瓦屋根における棟部の専用養生シートに関し、詳しくは、瓦屋根の施工において、施工途中の雨避けや、漆喰を乾燥させるために棟部を覆う養生シートに関するものである。
【背景技術】
【０００２】
瓦葺きは、建築施工において、屋根を瓦で葺く作業であり、瓦として、軒瓦、桟瓦、のし瓦、冠瓦等を用い、棟部の葺き土材として南蛮漆喰を用いるのが一般的である。瓦葺きでは、棟以外の部分に軒瓦、桟瓦等を敷き詰め、その後、棟部にのし瓦を所定量積み上げ、内部に葺き土材として、南蛮漆喰を入れ、棟の上部は冠瓦で固定する（図６）。南蛮漆喰は、乾燥まで数日掛かるのでその間養生させる。養生の間、シート等で棟を覆い、雨等によって、南蛮漆喰に水が進入することを防ぐ必要がある。南蛮漆喰は、十分乾燥させないと、くずれやすくなり、棟部の強度が保てなくなるからである。そのため、養生時のシートの役割は重要である。風等でシートが吹き飛ばされることはもちろん、シートの一部がめくれ、そこから雨水が浸入することも、南蛮漆喰を養生させる上で非常に問題である。シートで棟部を覆う際、風等でシートがめくれることを防ぐ方法として、棟部をシートで覆った後、シートの４隅に、まだ施工していない瓦や南蛮漆喰を載せ、重石として用いる方法がとられていた。
【０００３】
しかしながら、この方法では、もともと屋根が傾斜していることから、重石として載せた瓦や南蛮漆喰がずれたり、すべることもある。そうすると、シートがめくれたり、吹き飛ばされ、養生が不十分となってしまう。また、瓦等をシートに載せる際、瓦等を載せる位置を目分量で決めることから風によってシートがめくれることを十分防ぐことができなかった。また、シートがめくれることを防ぐために、専用の重石や器具、装置を用いることも考えられるが、前もって準備する必要もあるし、屋根まで引き上げる作業も必要であり、作業効率の点で問題であった。これらの不便を解消するために、特別の器具、装置を追加することなく、風等でシートがめくれたり、飛ばされたりしない手段が求められていた。
【０００４】
堅固で取付け取外しの容易な簡易雨養生シート（特許文献１）が提案され、公知技術となっている。より具体的には、固定足場上端に設けられた足場ビティの上端に付設された雨養生シートにおいて、屋根構体の棟軒部に近接する位置と、両端部に縫い込ましてシートにしわを生じにくくした補強芯と、シートの側部が重ね合わされボタン等の接続部材を介して着脱される重ね合わせ部と、シートの側部および補強芯のシート内側にほぼ一定間隔で、固定足場に結合する紐等からなる結合部材と、シート長手方向の一端に結合されるシート引上げ部材から構成されている。
【０００５】
しかしながら、文献１に記載の発明は、屋根を雨から防ぐ雨養生シートについての記載ではあるが、足場と接続する接続部材が必要であるし、足場等の器具を含むものであり、前記問題の解決には至っていない。
【０００６】
また、複数のシートを他の器具、装置を用いず連結するシート（特許文献２）が提案され、公知技術となっている。より具体的には、合成樹脂製のシートの縁部に補強用帯状部が重ねられて固定され、所望の補強用帯状部における内縁のほぼ全長に亘る余剰部と上記固定部との間に所望間隔ごとに切目が形成されると共に、上記余剰部に上記切目と直角方向に切目が形成され、切り残しにより紐状部が一体的に設けられたものである。
【０００７】
しかしながら、文献２に記載の発明は、シートが風等であおられることを防ぐ発明であり、他の器具、装置を用いないものであるが、シートの建築資材に固定することで風によってあおられることを防ぐものである。そのため、屋根の棟付近のようにシートを固定すべき建築資材の無い場合には適用できず、前記問題の解決には至っていない。本発明者はそれらの問題を解決しようと、養生シート自体に安定して重りを収容できる機能をつけることに着目し、「屋根棟専用養生シート」の提案に至るものである。
【先行技術文献】
【特許文献】
【０００８】
【特許文献１】特開平７−５４４９６
【特許文献２】実公平７−６３６９
【発明の概要】
【発明が解決しようとする課題】
【０００９】
本発明は上記問題点に鑑み、他の器具、装置を用いず、風等で一部がめくれたり吹き飛ぶことの無い屋根棟専用養生シートの提供を図る。
【課題を解決するための手段】
【００１０】
本発明に係る屋根棟専用養生シートは、略四角形のシートから構成され、該シートには対向する棟部と平行な二辺の端部に少なくとも１つの袋状の第１の重り収容部を有し、該第１の重り収容部の開口部は、対向する辺方向を向く構成手段を採用した。
【００１１】
また、本発明は、前記重り収容部が、前記棟部と平行な二辺に隙間なく配置される構成手段を採用することもできる。
【００１２】
また、本発明は、棟部と直行する二辺の端部に第２の重り収容部を持ち、前記第２の重り収容部は、近接する第１の重り収容部と同じ方向に開口部を持つ構成手段を採用することもできる。
【００１３】
また、本発明は、前記第１の重り収容部又は第２の重り収容部の底面に、水抜き用の穴が開いている構成手段を採用することもできる。
【００１４】
また、本発明は、前記シートが重なり合う重畳領域を有して連結可能とするジョイント機構を設ける構成手段を採用することもできる。
【発明の効果】
【００１５】
本発明に係る屋根棟専用養生シートによれば、屋根棟を養生させるために養生シートで屋根棟部分を覆う際、重石として用いる瓦や南蛮漆喰がずれたりすべることもなく、バランスのとれたシートで棟部を覆うことから、風等でシートが捲れたり、そこから雨水が浸入したりすることもなく、さらに、シート自体が吹き飛ばされることを防ぐことができ、安定した養生が可能となる。
【００１６】
また本発明に係る屋根棟専用養生シートによれば、瓦葺き作業において傾斜する屋根の上に重しとなる専用部材を引き上げる作業を省略でき、また、設置のための器具や装置を用いることなく養生が可能となり、作業効率及び作業時の安全性を確保できるという優れた効果を発揮する。
【図面の簡単な説明】
【００１７】
【図１】本発明に係る屋根棟専用養生シートの基本構成を示す斜視図である。
【図２】本発明に係る屋根棟専用養生シートの基本構成を示す３面図である。
【図３】本発明に係る屋根棟専用養生シートの他の構成例を示す実施例説明図である。
【図４】本発明に係る屋根棟専用養生シートの他の構成例を示す実施例説明図である。
【図５】本発明に係る屋根棟専用養生シートの他の構成例を示す実施例説明図である。
【図６】本発明に係る屋根棟の構造図である。
【図７】本発明に係る屋根棟専用養生シートにジョイント機構を設けた構成の実施例説明図である。
【発明を実施するための形態】
【００１８】
本発明である屋根棟専用養生シートは、特別の器具や装置を追加することなく、風等でシートがめくれたり、飛ばされたりしないことを最大の特徴とする。以下、実施例を図面に基づいて説明する。なお、本実施例で示される屋根棟専用養生シートの全体形状及び各部の形状は、下記に述べる実施例に限定されるものではなく、本発明の技術的思想の範囲内、即ち、同一の作用効果を発揮できる形状及び寸法の範囲内で変更することができるものである。
【実施例１】
【００１９】
図１から図２にしたがって、本発明を説明する。本発明は、通常の養生シートに袋を複数設け、そこに、南蛮漆喰等の葺き土用材の入った袋や、のし瓦８等をいれ、シート２の両端を安定して固定することで、シート２のめくれ、吹き飛びを防止するものである。
図１（ａ）は、本発明の全体斜視図を示し、図１（ｂ）は同断面図を示すものである。
図２（ａ）は、本発明の正面図である。図２（ｂ）は、本発明の底面図である。図２（ｃ）は、本発明の側面図である。
屋根棟専用養生シート１は、シート２と第１の重り収容部３から構成されている。
シート２は、棟部１２を覆い、棟部１２を養生させる際に、雨風によって棟部１２に水の浸入を防ぐものである。図１（ａ）のように、シート２の中ほどを棟の線に合わせ、屋根の傾斜に合わせて家屋の表側、裏側に均等に敷く。配置完了時には、養生が必要な棟部１２はすべて、シート２で覆われることになる。シート２の生地としては、ブルーシートのようなビニール系のものや丈夫な布製でもよい。長時間屋外で風雨にさらされるものであるので耐久性のある素材が好適である。
【００２０】
シート２は、略四角形であり、棟部１２から桟瓦方向への長さは、棟部１２をすべて覆い、少なくとも桟瓦５に一部が架かる長さである。安定性を考慮すると、桟瓦５数枚にかかる長さが適している。（図１（ｂ））。シート２の棟部１２の長手方向への長さであるが、１枚で棟全部を覆う大きさでもよいし、複数枚で覆う大きさでもよい。シート２の大きさの一例として、３ｍ×１ｍ程度のものが考えられる。
【００２１】
第１の重り収容部３は、本発明の重要な構造である。袋状をしており、材質は、シート２と同様ブルーシートのようなビニール系のものや丈夫な布製でもよい。生産のしやすさから言って、シート２と同じ材質であることが考えられるが、シート２と異なる材質であってもよい。第１の重り収容部３をシート２に設ける方法は、縫製でもよいし、接着、溶着でもよい。ただし、第１の重り収容部３に数十キロの重し４が入ることもあるし、長期間屋外にて使用することから、耐久性のある固定方法が必要である。袋の形状は、概ね四角形で、シ
ート２の厚さ方向は薄い。大きさとして、南蛮漆喰等の葺き土材の袋（横幅５０センチ×縦幅３０センチ、厚み１２センチ）や、複数ののし瓦（幅約２０５ｍｍ、厚さ約２５ｍｍ）が入る大きさが好適である。棟養生時に、作業中の屋根上にある部材だからである。
【００２２】
また、第１の重り収容部３は、棟の線に平行な二辺の端部に配置される。袋は１対でもよいが、風等でのめくれを防止するためには、辺の両端に１つずつ、中央に１つの３対、合計６つの第１の重り収容部３があると効果的である。端にあることで、シート２が端からめくれることを防ぐことができるし、中央にも重しを置くことで、シート２がたるんだ際に出来る中央部の隙間から、風の侵入によりシート２がめくれることを防ぐことができる。
【００２３】
第１の重り収容部３の開口部３０２は、対向する辺方向、つまり棟方向に平行に開口するように配置されている。屋根は、棟部を頂点とする傾斜面であるのが一般的であり、第１の重り収容部３に入れた、南蛮漆喰の袋やのし瓦８が屋根の傾斜によって、袋から出てしまうことを防ぐためである。南蛮漆喰の袋やのし瓦８は、屋根の傾斜によって、自然に、第１の重り収容部３の底部に留まり、不用意に袋から出ることはない。
【００２４】
第１の重り収容部３の開口部３０２には、ふた部３０１をつけてもよい。ふたをつけることで、風雨が、第１の重り収容部３の内部に入ることを防ぐことができる。また、風が第１の重り収容部３に入ることにより、第１の重り収容部３に無用な風圧がかかることを防ぐことができる。
【００２５】
次に、第１の重り収容部３に入れる重し４について検討する。３ｍ×１ｍのシート２を考えると、面積３平方メートルである。風は瞬間的な突風も含めると、２５ｍ／ｓ程度に達することもある。その際の風圧は、３ｋｇ／平方メートル程度であるので、風による力は約９ｋｇ程度である。６つの第１の重り収容部３に均等に力がかかるわけではないので、１つの第１の重り収容部３で抵抗できることが望ましい。そのため、この例では、１つの第１の重り収容部３の重し４の重量は９ｋｇ以上が推奨される。南蛮漆喰の袋であれば２０Ｋｇ程度あるので、南蛮漆喰の袋１つで十分である。のし瓦８であれば、１つ２．５ｋｇ程度であるので、４つを第１の重り収容部３の１つに入れれば、重量１０ｋｇとなり、条件を満足する。天候、季節等の状況によって第１の重り収容部３に入れる量は適宜かえてもよい。
【００２６】
また、屋根にある部材である南蛮漆喰の袋は、約２０ｋｇ程度あるので、６つの第１の重り収容部３すべてに南蛮漆喰の袋を入れると、総重量１２０ｋｇとなるので、シート２及び第１の重り収容部３の材質、シート２、第１の重り収容部３間の固定方法は、それに見合う引っ張り強度のある方法が必要である。
【００２７】
このように、本発明によれば、屋根棟専用養生シート１と施工中の屋根にあるのし瓦８や南蛮漆喰の袋等のみで、安定して、棟部１２を養生させることができるので、特別な器具、装置を準備する必要がないので、作業の効率アップと共に施工の品質も向上させることができる。
【実施例２】
【００２８】
他の実施例について図３を用いて説明する。実施例１と同様の部分は省略する。図３は、実施例２の正面図と底面図である。実施例１では、第１の重り収容部３をシート２の片側に３つを配置する構成としている。この構成で、シート２の端、シート２の中央からの風雨を防ぐことができるが、さらに、厳密に風雨による水の浸入を防ぐために以下の形状を取る。
【００２９】
図３に示すように第１の重り収容部３は、棟部１２と平行な二辺の端部に隙間なく配置する。より具体的には、第１の重り収容部３を設置する辺を均等に分割し、辺側はすべて第１の重り収容部３の底面がくるように配置する。第１の重り収容部３には、のし瓦８等を均等に入れてもいいし、端、中央を重点的に重し４をいれ、他の部分はシート２の浮き上がりが発生しない程度の重し４の量でもよい。また、端、中央のみで重し４を入れて、他の第１の重り収容部３には、まったく重し４を入れなくてもよい。
【００３０】
このような構成とすることで、桟瓦側からの風雨の進入を大幅に減らすことができるし、実施例１に近い使い方も適宜おこなうことができ、便利である。
【実施例３】
【００３１】
他の実施例について図４を用いて説明する。実施例１と同様の部分は省略する。図４は、実施例３の正面図と底面図である。屋根棟専用養生シート１への風雨の進入として、屋根の側面方向からの進入が考えられる。棟の線に対して対向する辺側には、第１の重り収容部３が配置されているが、その二辺に直行した二辺の端部には第１の重り収容部３がないので、屋根の側面方向から風に対してシート２があおられ、風雨が棟部１２に進入する可能性がある。そこで、棟部１２と直行する二辺部分に第２の重り収容部７を配置する。この構成とすることで、屋根の側面からの風によってシート２があおられそうになっても、第１の重り収容部７の重し４に重量によってシート２はめくられず、風雨の進入を防ぐことができる。また、第２の重り収容部７は、近接する第１の重り収容部３と同じ方向に開口部を持つ。この構成とすることで、第１の重り収容部７の中に収容された重し４は、屋根の傾斜によって、第１の重り収容部７の底部に留まり、安定した状態を保つことができる。第１の重り収容部７の大きさは、第１の重り収容部３の大きさと同じ大きさであってもよいが、側面のあおりを防ぐだけなので、第２の重り収容部７は第１の重り収容部３の大きさの半分ほどでもよい。
【００３２】
このような構成とすることで、屋根側面からの風雨の進入を大幅に減らすことができるので、棟部１２の養生をより確実に行うことができる。
【実施例４】
【００３３】
他の実施例について図５を用いて説明する。実施例１と同様の部分は省略する。図５は、実施例４の正面図と底面図である。実施例１において、第１の重り収容部３内に雨水が入る可能性がある。重し４は、のし瓦８であったり、南蛮漆喰の袋であるので、雨水によって、重し４の品質劣化が起こることはない。しかしながら、第１の重り収容部３内に雨水が大量に含まれることは、長期間でみればシート２の品質劣化になる。そこで、第１の重り収容部３の底部に排水穴３０３を開ける。この構成とすることで、第１の重り収容部３内の水は、排水され、第１の重り収容部３内に水が満たされることはなくなる。シート２の劣化を抑えることができるし、雨水が満たされた中からのし瓦８や南蛮漆喰の袋を取り出す負担もなくなる。
【００３４】
図６は、本発明に係る棟部１２の構造図である。瓦葺きは、建築施工において、屋根を瓦で葺く作業であり、前記の通り瓦として、軒瓦、桟瓦５、のし瓦８、冠瓦１０等を用い、棟部１２の葺き土材９として南蛮漆喰を用いるのが一般的である。瓦葺きでは、棟以外の部分に軒瓦、桟瓦等を敷き詰め、その後、棟部１２にのし瓦８を所定量積み上げ、内部に葺き土材９として、南蛮漆喰を入れ、棟の上部は冠瓦１０で固定されるものである。南蛮漆喰は、乾燥まで数日掛かるのでその間養生させる。養生の間、シート２等で棟部１２を覆い、雨等によって、南蛮漆喰に水が進入することを防ぐ必要がある。南蛮漆喰は、十分乾燥させないと、くずれやすくなり、棟部１２の強度が保てなくなるからである。そのため、養生時のシート２の役割は重要である。風等でシート２が吹き飛ばされることはもちろん、シート２の一部がめくれ、そこから雨水が浸入することも、南蛮漆喰を養生させる上で非常に問題である。シート２で棟部１２を覆う際、風等でシート２がめくれることを防ぐ方法として、棟部１２をシート２で覆った後、シート２の４隅に、まだ施工していない瓦や南蛮漆喰を載せ、重石として用いる方法がとられていた。しかしながら、この方法では、もともと屋根が傾斜していることから、重石として載せた瓦や南蛮漆喰がずれたり、すべることもある。そうすると、シート２がめくれたり、吹き飛ばされ、養生が不十分となってしまう。また、瓦等をシート２に載せる際、瓦等を載せる位置を目分量で決めることから風によってシート２がめくれることを十分防ぐことができなかった。また、シート２がめくれることを防ぐために、専用の重石や器具、装置を用いることも考えられるが、前もって準備する必要もあるし、屋根まで引き上げる作業も必要であり、作業効率の点で問題であった。これらの不便を解消するために、特別の器具、装置を追加することなく、風等でシート２がめくれたり、飛ばされたりしない手段として本発明が開発されたものである。
【実施例５】
【００３５】
図７は、本発明に係る屋根棟専用養生シートにジョイント機構を設けた構成の実施例説明図である。係る構成の実施例では棟部１２と直行する二辺の端辺に、重なり合う重畳領域４００並びに連結のための係止部材からなるジョイント機構４０１を設け、本発明に係る複数の屋根棟専用養生シート１をそれぞれ連結させるものである。重畳領域４００を設けるのは、風や水の侵入を防止するためのものであり、ジョイント機構４０１の係止部材としては、例えば、ピン、紐、ファスナー、マジックテープ（登録商標）、スナップボタン、フック＆フックホール等が考えられる。なお、係る係止部材はあくまでも例示であってこれらに限定されるものではなく簡易な個性で係止できるものを広く含むものである。
【産業上の利用可能性】
【００３６】
本発明に係る屋根棟専用養生シートは、瓦屋根の施工のみならず、台風などの強風時における瓦の飛散防止や被災における雨漏り等の応急手段としても活用できることから産業上の利用可能性は大きいものと思慮される。
【符号の説明】
【００３７】
１    屋根棟専用養生シート
２    シート
３    第１の重り収容部
４    重り
５    桟瓦
６    屋根構造
７    第２の重り収容部
８    のし瓦
９    葺き土材
１０  冠瓦
１１  鉄筋
１２  棟部
３０１  ふた部
３０２  開口部
３０３  排水穴
４００  重畳領域
４０１  ジョイント機構
【要約】
【課題】瓦屋根の施工途中の雨避けや、漆喰を乾燥させるために棟部を覆い養生し、他の器具、装置を用いず、風等で、一部がめくれたり吹き飛ぶことが無い屋根棟専用養生シートを提供する。
【解決手段】略四角形のシートと、該シートにおいて、棟部と平行な二辺の端部に少なくとも１つの袋状の第１の重り収容部を持ち、第１の重り収容部の開口部が、前記棟部に平行且つ棟部側の辺に設けられており、瓦、南蛮漆喰等を重り収容部に入れることで、安定して、屋根棟の養生をおこなうことができる構成とした。
【選択図】図１【図１】
0006691260.tif 000002
【図２】
0006691260.tif 000003
【図３】
0006691260.tif 000004
【図４】
0006691260.tif 000005
【図５】
0006691260.tif 000006
【図６】
0006691260.tif 000007
【図７】
0006691260.tif 000008